(57)【要約】【課題】リモコンとの兼用化を図る際の労力を大幅に軽減する。【解決手段】電子機器２のメモリにＩＤコードを格納する。携帯電話機１および電子機器２に双方向通信機能を設ける。携帯電話機１から、双方向通信機能を利用して電子機器２のメモリに格納されているＩＤコードを読み出し、インターネット４を介してサーバ５へ送信する。このＩＤコードに応じた電子機器操作用のプログラムＰＢ１をサーバ５から携帯電話機１にダウンロードする。【選択図】        図３
2004297470.tif 000002
【特許請求の範囲】
【請求項１】
制御対象機器を識別する固有情報を前記制御対象機器のメモリから非接触で読み出す固有情報読出手段と、
読み出された前記固有情報をインターネットを介してサーバに送信する固有情報送信手段と
を備えたことを特徴とする携帯端末装置。
【請求項２】
請求項１に記載された携帯端末装置において、
前記インターネットを介して送信した固有情報に応じて前記サーバから送られてくる前記制御対象機器の遠隔操作を可能とするプログラムをダウンロードする手段を備えたことを特徴とする携帯端末装置。
【請求項３】
請求項１に記載された携帯端末装置において、
前記インターネットを介して送信した固有情報に応じて前記サーバから送られてくる前記制御対象機器の遠隔操作を可能とするプログラムのリストを表示するプログラムリスト表示手段と、
表示された前記プログラムのリストより選択される所望のプログラムを前記サーバからダウンロードする手段と
を備えたことを特徴とする携帯端末装置。
【請求項４】
請求項１に記載された携帯端末装置において、
前記固有情報読出手段および固有情報送信手段は、前記インターネットを介して前記サーバよりダウンロードされたプログラムであることを特徴とする携帯端末装置。
【発明の詳細な説明】
【０００１】
【発明の属する技術分野】
この発明は、電子機器などの制御対象機器を遠隔操作するリモコン装置と兼用することが可能な携帯電話機などの携帯端末装置に関するものである。
【０００２】
【従来の技術】
従来より、遠隔操作可能な電子機器（例えば、デジタル地上波、ＣＳ／ＢＳなどの公共放送受信機器などの電子機器）の多くは、簡易的あるいは複雑なＧＵＩ（Ｇｒａｐｈｉｃａｌ  Ｕｓｅｒ  Ｉｎｔｅｒｆａｃｅ）を持ち、リモコン装置（以下、単にリモコンという）を用いて各種の操作を行っている。リモコンは、通常は１台の電子機器に対して専用のリモコンが１台設けられるが、最近では操作を平易とするために、「簡単リモコン」と呼ばれる基本操作のみを行うことの可能なリモコンが付属されることもある。
【０００３】
一方、通信機能を有する携帯電話機に代表される携帯端末装置をリモコンと兼用させる技術について、例えば下記の特許文献１に記載されているものがある。この特許文献１では、配信センタの記憶装置に各メーカの各製品別に、各操作毎のリモコンコードを蓄積させておき、携帯電話機からの要求に応じてリモコンコードを読み出し、携帯電話機に配信する方法をとっている。
【０００４】
この方法において、ユーザは、遠隔操作の対象となる電子機器のメーカ名、製品名、型式名などを、携帯電話機から個別電話番号という形でキー入力する。例えば、０１２０−０８８−２９８−１２４０という個別電話番号を入力することにより、メーカ名、製品名、型式名などを指定する（０８８・・・型式名、２・・・・・ＶＴＲ、９８・・・・９８年型、１２・・・・Ａ社製、４０・・・・ロット番号）。なお、このメーカ名、製品名、型式名などの指定後、携帯電話機の画面上には配信センタから送られてくる操作メニューが表示される。この操作メニューから、配信を受けるリモコンコードとして、基本操作のみのリモコンコード、全操作のリモコンコードなどを選択することが可能である。
【０００５】
この携帯電話機をリモコンと兼用させる方法では、全操作が可能なリモコンコードの配信を受けたり、基本操作のみ可能なリモコンコードの配信を受けたり、電子機器毎に別個のリモコンコードの配信を受けたりすることが可能である。これによって、１台の携帯電話機を複数台のリモコンと兼用させ、家庭内でのリモコンの数を減らすことが可能となる。
【０００６】
【特許文献１】
特開２００１−２８５９４５号公報（段落〔００１３〕〜〔００１４〕）
【０００７】
【発明が解決しようとする課題】
しかしながら、上述した特許文献１の技術では、電子機器のメーカ名、製品名、型式名などを個別電話番号という形でキー入力し、携帯電話機から配信センタへ送るようにしているので、そのキー入力操作が非常に煩わしく、また個別電話番号を調べなければならず、リモコンとの兼用化を図る際にかなりの労力を必要とする。
【０００８】
本発明はこのような課題を解決するためになされたもので、その目的とするところは、リモコンとの兼用化を図る際の労力を大幅に軽減することができる携帯端末装置を提供することにある。
【０００９】
【課題を解決するための手段】
このような目的を達成するために本発明は、携帯端末装置に、制御対象機器のメモリに格納されている固有情報を非接触で読み出す固有情報読出手段と、この固有情報読出手段によって読み出された固有情報をインターネットを介してサーバに送信する固有情報送信手段とを設けたものである。
この発明において、携帯端末装置は、制御対象機器のメモリに格納されている固有情報（例えば、ＩＤコード）を非接触で読み出し、インターネットを介してサーバへ送信する。サーバでは、この送信されてくる固有情報により、制御対象機器のメーカ名や製品名、型式名などを知ることができる。
ここで、サーバから携帯端末装置へ、固有情報から特定される制御対象機器の遠隔操作を可能とするプログラムを送信し、携帯端末装置にダウンロードさせれば、この携帯端末装置にリモコン機能を付加することが可能となる。
【００１０】
なお、サーバから携帯端末装置へ、固有情報から特定される制御対象機器の遠隔操作を可能とするプログラムのリストを送り、このプログラムのリストを携帯端末装置の画面上に表示させるようにしてもよい。例えば、全操作を可能とするプログラムと基本操作のみを可能とするプログラムをリスト中に表示し、このリストの中からどのプログラムをダウンロードするかをユーザに選択させる。そして、選択されたプログラムをサーバから携帯端末装置へ送り、携帯端末装置にダウンロードさせる。
また、本発明において、固有情報読出手段および固有情報送信手段は、ハード的に構成することも可能であるが、プログラムとして提供してもよい。この場合、そのプログラムをインターネットを介してサーバよりダウンロードするようにしてもよく、予めセットしておくようにしてもよい。
【００１１】
【発明の実施の形態】
以下、本発明を図面に基づいて詳細に説明する。図１はこの発明に係る携帯端末装置の一実施の形態を含むリモコンシステムのシステム構成図である。
【００１２】
同図において、１は携帯電話機、２はテレビやエアコンなどの電子機器、３は基地局、４はインターネット、５はサーバである。基地局３とサーバ５とはインターネット４を介して接続されている。このリモコンシステムにおいて、携帯電話機１が本発明でいう携帯端末装置に対応し、電子機器２が制御対象機器に対応する。なお、携帯端末装置は、必ずしも携帯電話機でなくてもよく、ＰＤＡ（Ｐｅｒｓｏｎａｌ  Ｄｉｇｉｔａｌ  Ａｓｓｉｓｔａｎｔ）などを利用してもよい。
【００１３】
本実施の形態において、携帯電話機１および電子機器２には、近距離無線送受信機能（例えば、ブルートゥース（Ｂｌｕｅｔｏｏｔｈ）、ＩｒＤＡ（Ｉｎｆｒａｒｅｄ  Ｄａｔａ  Ａｓｓｏｃｉａｔｉｏｎ）などの双方向通信機能が付加されている。また、電子機器２のメモリには、この電子機器２の固有情報としてＩＤコードを格納させている。このＩＤコードは電子機器２のメーカ名や製品名、型式名などを一意に特定するためのものである。
【００１４】
サーバ５には、Ｊａｖａ（登録商標）アプレットなどによる電子機器識別用のプログラムＰＡと電子機器操作用のプログラムＰＢが準備されている。電子機器識別用のプログラムＰＡは、このシステムにおいて使用される電子機器全体に対して１つだけ準備されている。これに対し、電子機器操作用のプログラムＰＢは、このシステムにおいて使用される各種の電子機器のＩＤコードに対応させて複数準備されている。
【００１５】
また、電子機器操作用のプログラムＰＢは、全操作を可能とするプログラムＰＢ１と基本操作のみを可能とするプログラムＰＢ２の２種類が準備されている。すなわち、本実施の形態では、１つのＩＤコードに対応して、ＰＢ１とＰＢ２の２種類の電子機器操作用のプログラムが準備されている。
【００１６】
図２に携帯電話機１および電子機器２の内部構成の概略を示す。電子機器２は、マイクロコンピュータ（以下、マイコンと略す）２−１と、受光部２−２と、発光部２−３と、不揮発性メモリ２−４とを備えている。不揮発性メモリ２−４には、電子機器２における各種の操作内容に応じたリモコンコードに加えて、上述したＩＤコードが格納されている。
【００１７】
携帯電話機１は、マイコン１−１と、受光部１−２と、発光部１−３と、第１のメモリ１−４と、第２のメモリ１−５と、表示部１−６と、キー操作部１−７と、無線通信部１−８とを備えている。メモリ１−４には、マイコン１−１が実行する基本プログラムが格納されている。メモリ１−５にはサーバ５からダウンロードされる電子機器識別用のプログラムＰＡおよび電子機器操作用のプログラムＰＢが格納される。
【００１８】
以下、このリモコンシステムにおいて、電子機器２の遠隔操作を可能とするリモコン機能を携帯電話機１に付加する動作について説明する。
【００１９】
〔電子機器識別用のプログラムのダウンロード〕
先ず、携帯電話機１から基地局３を介し、インターネット４を経由してサーバ５にアクセスし、サーバ５に準備されている電子機器識別用のプログラムＰＡをダウンロードする（図１：矢印▲１▼，▲２▼）。このダウンロードされた電子機器識別用のプログラムＰＡは携帯電話機１のメモリ１−５に格納される。この電子機器識別用のプログラムＰＡが本発明でいう固有情報読出手段および固有情報送信手段に対応する。
【００２０】
〔電子機器からのＩＤの取得〕
次に、携帯電話機１を電子機器２に近づけ、マイコン１−１に電子機器識別用のプログラムＰＡの処理動作を開始させる。これにより、マイコン１−１が発光部１−３を介して、電子機器２にＩＤコードの取得指令を送る（図１，図２：矢印▲３▼）。このＩＤコードの取得指令はリモコンコード（コード列）として送られる。
【００２１】
電子機器２では、携帯電話機１からのＩＤコードの取得指令を受光部２−２を介して受信し、マイコン２−１へ送る。マイコン２−１は、受信したＩＤコードの取得指令（リモコンコードのコード列）を復号し、不揮発性メモリ２−４に格納されているリモコンコードとの照合を図り、ＩＤコードの取得指令であることを認識する。そして、マイコン２−１は、不揮発性メモリ２−４に格納されているＩＤコードを読み出し、この読み出したＩＤコードをコード列に変換し、発光部２−３を介して携帯電話機１へ送信する（図１，図２：矢印▲４▼）。
【００２２】
〔取得したＩＤコードのサーバへの送信〕
携帯電話機１では、電子機器２からのＩＤコードを受光部１−２を介して受光し、マイコン１−１へ送る。マイコン１−１は、受信したＩＤコード（ＩＤコードのコード列）を復号し、無線通信部１−８を介しインターネット４を経由してサーバ５へ送る（図１，図２：矢印▲５▼）。
【００２３】
〔プログラムリストの返送〕
サーバ５では、携帯電話機１からのＩＤコードを受信し、この受信したＩＤコードに対応して準備されている電子機器操作用のプログラムＰＢ１，ＰＢ２のリスト（プログラムリスト）を作り、このプログラムリストを携帯電話機１に返送する（図２，図３：矢印▲６▼）。
【００２４】
〔リスト中からのプログラムの選択〕
携帯電話機１では、サーバ５からのプログラムリストを無線通信部１−８を介して受信し、マイコン１−１へ送る。マイコン１−１は、受信したプログラムリストを表示部１−６に表示する。
【００２５】
ここで、ユーザは、表示されたプログラムリストの中からどのプログラムをダウンロードするかを選択する。この例では、プログラムリスト中に電子機器操作用のプログラムＰＢ１とＰＢ２とが表示されるので、何れか一方を選択する。ここでは、電子機器操作用のプログラムＰＢ１が選択されたとする。すると、マイコン１−１は、無線通信部１−８を介して、電子機器操作用のプログラムＰＢ１が選択されたことをサーバ５へ知らせる（図２，図３：矢印▲７▼）。
【００２６】
〔電子機器操作用のプログラムのダウンロード〕
サーバ５は、携帯電話機１からの知らせを受けて、電子機器２のＩＤコードに対応して準備されている電子機器操作用のプログラムＰＢ１，ＰＢ２の中から、選択された電子機器操作用のプログラムＰＢ２を取り出し、携帯電話機１へ送る（図２，図３：矢印▲８▼）。
【００２７】
携帯電話機１では、サーバ５からの電子機器操作用のプログラムＰＢ１を無線通信部１−８を介して受信し、マイコン２−１へ送る。マイコン２−１は、受信した電子機器操作用のプログラムＰＢ１をメモリ１−５に格納（ダウンロード）する。
【００２８】
この例では、プログラムリスト中から電子機器操作用のプログラムＰＢ１が選択されたものとして説明したが、電子機器操作用のプログラムＰＢ２が選択された場合にも同様にして、この選択された電子機器操作用のプログラムＰＢ２がサーバ５から携帯電話機１にダウンロードされる。
【００２９】
なお、電子機器操作用のプログラムＰＢ１に続いて、電子機器操作用のプログラムＰＢ２をダウンロードし、双方のプログラムを携帯電話機１内に取り込むようにしてもよい。これにより、携帯電話機１を全操作が可能な専用リモコンとしても使用できるし、基本操作のみが可能な簡単リモコンとしても使用することができる。また、他の電子機器についても同様にして、その電子機器のメモリに格納されているＩＤコードを読み出して、そのＩＤコードに対応して準備されている電子機器操作用のプログラムをダウンロードすることが可能である。
【００３０】
〔リモコン操作〕
携帯電話機１からの電子機器２に対するリモコン操作は次のようにして行われる。マイコン１−１は、メモリ１−５にダウンロードされている電子機器操作用のプログラムＰＢ１に従い、キー操作部１−７からのキー操作に応じたリモコンコードを電子機器２へ送信する。このリモコンコードの送信は発光部１−３を介して行われる（図３，図４：矢印▲９▼）。
【００３１】
電子機器２では、携帯電話機１からのリモコンコード（コード列）を受光部２−２を介して受信し（図４）、マイコン２−１へ送る。マイコン２−１は、受信したリモコンコード（コード列）を復号し、不揮発性メモリ２−４に格納されているリモコンコードとの照合を図り、リモコンコードによって指示される操作内容を認識する。そして、マイコン２−１は、その操作内容に応じた処理を実行する。
【００３２】
以上の説明から分かるように、本実施の形態の携帯電話機１によると、電子機器２の不揮発性メモリ２−４に格納されているＩＤコードを非接触で読み出してサーバ５に送り、サーバ５において電子機器２のメーカ名や製品名、型式名などを特定させているので、個別電話番号のキー入力など煩わしい入力操作を行わなくてもよく、また個別電話番号が分からなくてもよく、リモコンとの兼用化を図る際の労力が大幅に軽減される。
【００３３】
なお、上述した実施の形態では、電子機器操作用のプログラムＰＢをＰＢ１とＰＢ２の２種類としたが、さらにその種類を増やしてもよい。
また、電子機器操作用のプログラムＰＢは、１種類としてもよい。この場合、プログラムリストからの電子機器操作用のプログラムの選択は不要であり、直ちにその電子機器操作用のプログラムをダウンロードさせればよい。
【００３４】
また、上述した実施の形態では、先ず最初に電子機器識別用のプログラムＰＡをサーバ５からダウンロードするようにしたが、電子機器識別用のプログラムＰＡを携帯電話機１に予めセットしておくようにしてもよい。
【００３５】
【発明の効果】
以上説明したことから明らかなように、本発明の携帯端末装置によれば、制御対象機器のメモリに格納されている固有情報を非接触で読み出し、インターネットを介してサーバへ送信するようにしたことにより、サーバにおいて制御対象機器のメーカ名や製品名、型式名などを特定させることが可能となり、個別電話番号のキー入力など煩わしい入力操作を行わなくてもよく、また個別電話番号が分からなくてもよく、リモコンとの兼用化を図る際の労力を大幅に軽減することができるようになる。
【図面の簡単な説明】
【図１】本発明に係る携帯端末装置の一実施の形態を含むリモコンシステムのシステム構成図である。
【図２】このリモコンシステムにおける携帯電話機および電子機器の内部構成の概略を示す図である。
【図３】このリモコンシステムにおける携帯電話機に電子機器操作用のプログラムがダウンロードされる様子を示す図である。
【図４】このリモコンシステムにおける携帯電話機を用いての電子機器の遠隔操作を説明する図である。
【符号の説明】
１…携帯電話機、２…電子機器、３…基地局、４…インターネット、５…サーバ、１−１…マイコン、１−２…受光部、１−３…発光部、１−４…第１のメモリ、１−５…第２のメモリ、１−６…表示部、１−７…キー操作部、２−１…マイコン、２−２…受光部、２−３…発光部、２−４…不揮発性メモリ、ＰＡ…電子機器識別用のプログラム、ＰＢ（ＰＢ１，ＰＢ２）…電子機器操作用のプログラム。
【図１】
2004297470.tif 000003
【図２】
2004297470.tif 000004
【図３】
2004297470.tif 000005
【図４】
2004297470.tif 000006